(57)【要約】【課題】ケース内に入った液体がターミナルを有するコネクタ部の内部に侵入することを抑制するアクセサリーソケットを提供する。【解決手段】アクセサリーソケット１は、底面２４を有する筒形状であり、電子機器に電力を供給するプラグ８が挿入される挿入孔２２を有するケース２と、内部にターミナル５５を有すると共に、底面２４の中央孔２６に挿入されて底面２４より高く突出し、底面２４、中央孔２６及び自身の上面５１を経由する経路７ｂを規定し、ケース２内に入った液体をケース２の外に排出するリブ５２を上面５１に有するコネクタ部５と、を備えて概略構成されている。【選択図】図２
2017112035.tif 000002
【特許請求の範囲】
【請求項１】
底面を有する筒形状であり、電子機器に電力を供給するプラグが挿入される挿入孔を有するケースと、
内部にターミナルを有すると共に、前記底面の開口に挿入されて前記底面より高く突出し、前記底面、前記開口及び自身の上面を経由する経路を規定し、前記ケース内に入った液体を前記ケースの外に排出するリブを前記上面に有するコネクタ部と、
を備えたアクセサリーソケット。
【請求項２】
導電部材で形成され、前記プラグと電気的に接続すると共に前記コネクタ部の前記ターミナルと電気的に接続されるコンタクトターミナルと、
前記コンタクトターミナルが挿入される孔を上面に有する筒部、前記筒部の下部に設けられたフランジ部を有し、前記フランジ部の底面に前記リブが挿入される溝を有するインシュレータと、
を備えた、
請求項１に記載のアクセサリーソケット。
【請求項３】
前記溝は、前記液体が毛細管現象に基づいて前記リブと前記溝の間を上昇できない空間を前記リブとの間に形成する、
請求項２に記載のアクセサリーソケット。
【請求項４】
前記インシュレータは、側面が前記溝の側面となる突起部を有し、
前記リブは、筒形状であって中央に中央開口を有し、前記中央開口に前記インシュレータの前記突起部が挿入される、
請求項２又は３に記載のアクセサリーソケット。
【発明の詳細な説明】
【技術分野】
【０００１】
本発明は、アクセサリーソケットに関する。
【背景技術】
【０００２】
従来の技術として、筒状の金属製インナケースに端子／フューズアセンブリを嵌め込んで構成された電源ソケットが知られている（例えば、特許文献１参照。）。
【０００３】
この端子／フューズアセンブリは、樹脂製のカバープレートとフューズボックスからなるハウジング内に底壁を貫通させた端子、フューズ及び接点円盤が重ねて配置されている。フューズは、弾性導電板の周縁のリング部から内方に延びる舌片に可溶体を備えている。インナケースに挿入されたプラグの先端が、接点円盤を押し下げることにより舌片が端子に接触して接点円盤から端子まで導通する。
【先行技術文献】
【特許文献】
【０００４】
【特許文献１】特開２０１３−１２２８５３号公報
【発明の概要】
【発明が解決しようとする課題】
【０００５】
しかし従来の電源ソケットは、ケース内に液体が入った場合、インナケースとカバープレートの隙間からカバープレートとフューズボックスの隙間を通って端子／フューズアセンブリ内に液体が侵入し、端子が液体に浸る可能性がある。
【０００６】
従って、本発明の目的は、ケース内に入った液体がターミナルを有するコネクタ部の内部に侵入することを抑制するアクセサリーソケットを提供することにある。
【課題を解決するための手段】
【０００７】
本発明の一態様は、底面を有する筒形状であり、電子機器に電力を供給するプラグが挿入される挿入孔を有するケースと、内部にターミナルを有すると共に、底面の開口に挿入されて底面より高く突出し、底面、開口及び自身の上面を経由する経路を規定し、ケース内に入った液体をケースの外に排出するリブを上面に有するコネクタ部と、を備えたアクセサリーソケットを提供する。
【発明の効果】
【０００８】
本発明によれば、ケース内に入った液体がターミナルを有するコネクタ部の内部に侵入することを抑制する。
【図面の簡単な説明】
【０００９】
【図１】図１（ａ）は、実施の形態に係るアクセサリーソケットの一例を示す斜視図であり、図１（ｂ）は、アクセサリーソケットの配置の一例を示す概略図である。
【図２】図２は、実施の形態に係るアクセサリーソケットの要部断面図の一例である。
【図３】図３（ａ）は、実施の形態のアクセサリーソケットのインシュレータの一例を示す上面図であり、図３（ｂ）は、正面図であり、図３（ｃ）は、下面図であり、図３（ｄ）は、側面図である。
【発明を実施するための形態】
【００１０】
（実施の形態の要約）
実施の形態に係るアクセサリーソケットは、底面を有する筒形状であり、電子機器に電力を供給するプラグが挿入される挿入孔を有するケースと、内部にターミナルを有すると共に、底面の開口に挿入されて底面より高く突出し、底面、開口及び自身の上面を経由する経路を規定し、ケース内に入った液体をケースの外に排出するリブを上面に有するコネクタ部と、を備えて概略構成されている。
【００１１】
このアクセサリーソケットは、ケース内に入った液体が底面、開口及びコネクタ部の上面を経由する経路で外に排出されるので、ケース内に入った液体がターミナルを有するコネクタ部の内部に侵入することを抑制することができる。
【００１２】
[実施の形態]
（アクセサリーソケット１の概要）
図１（ａ）は、実施の形態に係るアクセサリーソケットの一例を示す斜視図であり、図１（ｂ）は、アクセサリーソケットの配置の一例を示す概略図である。図２は、実施の形態に係るアクセサリーソケットの要部断面図の一例である。図３（ａ）は、実施の形態のアクセサリーソケットのインシュレータの一例を示す上面図であり、図３（ｂ）は、正面図であり、図３（ｃ）は、下面図であり、図３（ｄ）は、側面図である。なお、以下に記載する実施の形態に係る各図において、図形間の比率は、実際の比率とは異なる場合がある。
【００１３】
アクセサリーソケット１は、例えば、図１（ｂ）に示すように、車両９に搭載され、車両９のバッテリと電気的に接続されている。このアクセサリーソケット１は、電子機器のプラグ８が挿入されると、当該電子機器にバッテリに基づく電力を供給するように構成されている。
【００１４】
具体的には、アクセサリーソケット１は、図１（ａ）、図１（ｂ）及び図２に示すように、底面２４を有する筒形状であり、電子機器に電力を供給するプラグ８が挿入される挿入孔２２を有するケース２と、内部にターミナル（ターミナル５５）を有すると共に、底面２４の開口（中央孔２６）に挿入されて底面２４より高く突出し、底面２４、中央孔２６及び自身の上面５１を経由する経路７ｂを規定し、ケース２内に入った液体をケース２の外に排出するリブ５２を上面５１に有するコネクタ部５と、を備えて概略構成されている。
【００１５】
またアクセサリーソケット１は、導電部材で形成され、プラグ８と電気的に接続すると共にコネクタ部５のターミナル５５と電気的に接続されるコンタクトターミナル３と、コンタクトターミナル３が挿入される孔４１２を上面４１０に有する筒部４１、筒部４１の下部４１１に設けられたフランジ部４０を有し、フランジ部４０の底面４０１にリブ５２が挿入される溝（円溝４０３）を有するインシュレータ４と、を備えている。
【００１６】
（ケース２の構成）
ケース２は、図１（ａ）及び図２に示すように、導電性を有する金属材料によって円筒形状に形成されている。このケース２の一方の端部には、挿入孔２２が形成されている。プラグ８は、この挿入孔２２に挿入される。
【００１７】
またケース２の他方の端部には、コネクタ部５のコネクタハウジング５ａが取り付けられている。このコネクタハウジング５ａのリブ５２は、ケース２の底面２４の中央に形成された中央孔２６に挿入されている。
【００１８】
ケース２の側面２１には、例えば、複数の開口２３が設けられ、取り付け先の爪が嵌まり込んでフロアコンソール９０に取り付けられる。
【００１９】
またケース２の底面２４側の側面２１には、複数の水抜開口２５が形成されている。この水抜開口２５内には、インシュレータ４のフランジ部４０が露出している。従ってケース２内に入った液体は、フランジ部４０を伝う経路７ａを経由して水抜開口２５から排出される。
【００２０】
ケース２は、全体が導電体材料によって形成されているが、これに限定されず、少なくともプラグ８の側面に突出する電極が接触する領域が導電体材料によって形成されていれば良い。
【００２１】
（コンタクトターミナル３の構成）
コンタクトターミナル３は、導電性を有する金属材料によって形成されている。このコンタクトターミナル３は、例えば、図２に示すように、円柱形状を有する円柱部３０と、先端部３１側に設けられ、円柱部３０の径方向に突出する円板部３３とを備えて概略構成されている。
【００２２】
コンタクトターミナル３は、インシュレータ４の孔４１２に挿入されている。この孔４１２は、図２に示すように、半径が小さい挿入孔４１３と連結されている。コンタクトターミナル３の端部３２が、この挿入孔４１３に挿入されると、孔４１２と挿入孔４１３との境界となる下面４１４上に円板部３３が接触する。そして端部３２は、例えば、加締められ、ケース２、インシュレータ４及びコネクタ部５が一体となる。この加締めにより、コンタクトターミナル３とコネクタ部５のターミナル５５が電気的に接続される。
【００２３】
コンタクトターミナル３の上面３１０は、図２に示すように、インシュレータ４の筒部４１の上面４１０より低い位置に位置している。従って上面３１０は、インシュレータ４の上面４１０の上に載った導電性を有する部材と接触し難い。
【００２４】
（インシュレータ４の構成）
インシュレータ４は、一例として、ポリアミド、ポリ塩化ビニルなどの難燃性樹脂により形成されている。このインシュレータ４は、図３（ａ）〜図３（ｄ）に示すように、円板形状を有するフランジ部４０と、フランジ部４０の中央から突出する筒部４１と、フランジ部４０と筒部４１に接触し、筒部４１を介して対向する一対の支持部４４と、を備えて概略構成されている。
【００２５】
フランジ部４０は、表面が外に向かって傾斜する斜面部４００が形成されている。この斜面部４００は、上述のように、表面がケース２の水抜開口２５に露出するようにケース２に配置されている。ケース２に入った液体の一部は、この斜面部４００から水抜開口２５に向かって流れる経路７ａでケース２の外に排出される。
【００２６】
フランジ部４０の底面４０１には、図３（ｃ）及び図３（ｄ）に示すように、底面４０１の法線方向に突出する一対の突起４０２と、挿入孔４１３を囲む円溝４０３と、が形成されている。
【００２７】
突起４０２は、ケース２の底面２４に形成された開口に挿入される。また円溝４０３は、図２に示すように、コネクタハウジング５ａのリブ５２が挿入されている。
【００２８】
筒部４１は、例えば、円筒形状を有しているが、これに限定されず、径方向の断面が矩形状などであっても良い。
【００２９】
この筒部４１には、スリット４２及びスリット４３が形成されている。このスリット４２及びスリット４３は、コンタクトターミナル３が挿入される孔４１２に入った液体がフランジ部４０の斜面部４００の方に流れるように形成されている。
【００３０】
このスリット４２及びスリット４３は、スリットの中心と孔４１２の中心を通る線が曲線となるように筒部４１に形成されている。従ってアクセサリーソケット１は、ケース２内にコインなどの導電性部材が意図せず入ってもコンタクトターミナル３とケース２とに同時に接触することを抑制し、ショートの発生を抑制することが可能となる。なお変形例としてスリットは、導電性部材がケース２とコンタクトターミナル３とに同時に接触しない形状であれば、スリットの中心と孔４１２の中心を通る線が直線でも良く、また数も限定されない。
【００３１】
インシュレータ４は、図２に示すように、側面が円溝４０３の側面となる突起部４１５を有している。そしてリブ５２は、筒形状であって中央に中央開口５３を有し、中央開口５３にインシュレータ４の突起部４１５が挿入される。
【００３２】
ケース２とインシュレータ４の隙間を通ってきた液体は、円溝４０３内のリブ５２に阻まれてコネクタ部５内部に侵入することが出来ず、ケース２の中央孔２６からコネクタハウジング５ａの上面５１を伝う経路７ｂで外に排出される。
【００３３】
ここで円溝４０３は、図２に示すように、液体が毛細管現象に基づいてリブ５２と円溝４０３の間を上昇できないような空間５２０をリブ５２との間に形成している。円溝４０３とリブ５２の間が小さい場合、リブ５２に到達した液体が毛細管現象によりリブ５２を超えてターミナル５５が浸水する可能性がある。しかし本実施の形態の円溝４０３は、図２に示すように、リブ５２の側面及び上方に十分大きな空間５２０を有しているので、空間５２０に侵入した液体にリブ５２を超えるような毛細管現象が生じない。
【００３４】
また空間５２０は、これを形成しない場合と比べて、多くの液体を溜めながら排出することが可能である。さらにケース２の中央孔２６とリブ５２との間が大きく開いているので、空間５２０に溜まった液体がケース２の下面２８とコネクタハウジング５ａの上面５１の隙間から排出され易い。
【００３５】
ケース２内に入った液体が排出される経路は、主に経路７ａ及び経路７ｂである。経路７ａは、斜面部４００を伝って水抜開口２５から排出される経路、及び筒部４１の孔４１２からスリット（スリット４２及びスリット４３）、斜面部４００及び水抜開口２５を経由する経路である。経路７ｂは、ケース２とインシュレータ４の隙間、中央孔２６、及びコネクタ部５の上面５１を経由して排出される経路である。
【００３６】
具体的には、経路７ｂは、ケース２とフランジ部４０の側面の隙間、ケース２の底面２４とフランジ部４０の底面４０１の隙間、中央孔２６とリブ５２の隙間、ケース２の下面２８とコネクタハウジング５ａの上面５１の隙間を通ってコネクタ部５の外に排出される経路である。上述のように、大量の液体がケース２内に入っても、液体が円溝４０３とケース２で囲まれる空間５２０に溜まりながら中央孔２６とリブ５２の隙間から外に排出される。
【００３７】
（コネクタ部５の構成）
コネクタ部５は、例えば、樹脂により形成されたコネクタハウジング５ａと、コネクタ本体５ｂと、を有している。コネクタハウジング５ａは、例えば、円筒形に形成されている。このコネクタハウジング５ａは、図２の紙面において、下側に接続開口５０を有し、上側にリブ５２を有している。
【００３８】
接続開口５０には、例えば、コネクタ本体５ｂが取り付けられる。具体的には、コネクタハウジング５ａの側面には、開口５６が形成され、コネクタ本体５ｂの爪部５８が嵌まり込むことにより、コネクタハウジング５ａとコネクタ本体５ｂとが一体となる。このコネクタ本体５ｂには、例えば、車両９のハーネスのコネクタが接続される。
【００３９】
リブ５２は、例えば、ターミナル５５が挿入される挿入開口５４を囲んで突出するような円筒形状を有している。そしてリブ５２は、ケース２の中央孔２６に挿入されると共に、インシュレータ４の円溝４０３に挿入される。リブ５２の中央開口５３は、挿入開口５４と繋がっている。挿入開口５４には、コンタクトターミナル３の円柱部３０とターミナル５５が挿入されている。
【００４０】
このターミナル５５は、導電性を有する金属材料を用いて形成されている。ターミナル５５は、例えば、円板形状の円板部５５０を有し、その中央が突出して形成された円筒部５５１がコネクタハウジング５ａの挿入開口５４に挿入されている。この円筒部５５１の開口５５２には、コンタクトターミナル３が挿入されている。なおコネクタ部５は、ケース２との間にワッシャなどの部材を介してケース２に取り付けられても良い。
【００４１】
（実施の形態の効果）
本実施の形態に係るアクセサリーソケット１は、ケース２内に入った液体がターミナル５５を有するコネクタ部５の内部に侵入することを抑制することができる。具体的には、アクセサリーソケット１は、リブ５２がターミナル５５側への浸水を抑制するので、ケース２内に入った液体が底面２４、中央孔２６及びコネクタ部５の上面５１を経由する経路７ｂで外に排出される。従ってアクセサリーソケット１は、ケース２内に入った液体がコネクタ部５の内部に侵入することを抑制することができる。
【００４２】
アクセサリーソケット１は、円溝４０３とリブ５２の間が、毛細管現象が生じない程大きく開いて空間５２０を形成しているので、毛細管現象による液体の侵入を抑制すると共に、経路７ｂを通る液体を溜めることができる。また溜まった液体は、中央孔２６とリブ５２の間が大きいので、接触するほど近い場合と比べて、排出され易い。
【００４３】
以上、本発明のいくつかの実施の形態及び変形例を説明したが、これらの実施の形態及び変形例は、一例に過ぎず、特許請求の範囲に係る発明を限定するものではない。これら新規な実施の形態及び変形例は、その他の様々な形態で実施されることが可能であり、本発明の要旨を逸脱しない範囲で、種々の省略、置き換え、変更などを行うことができる。また、これら実施の形態及び変形例の中で説明した特徴の組合せの全てが発明の課題を解決するための手段に必須であるとは限らない。さらに、これら実施の形態及び変形例は、発明の範囲及び要旨に含まれると共に、特許請求の範囲に記載された発明とその均等の範囲に含まれる。
【符号の説明】
【００４４】
１…アクセサリーソケット、２…ケース、３…コンタクトターミナル、４…インシュレータ、５…コネクタ部、５ａ…コネクタハウジング、５ｂ…コネクタ本体、７ａ，７ｂ…経路、８…プラグ、９…車両、２１…側面、２２…挿入孔、２３…開口、２４…底面、２５…水抜開口、２６…中央孔、２８…下面、３０…円柱部、３１…先端部、３２…端部、３３…円板部、４０…フランジ部、４１…筒部、４２，４３…スリット、４４…支持部、５０…接続開口、５１…上面、５２…リブ、５３…中央開口、５４…挿入開口、５５…ターミナル、５６…開口、５８…爪部、９０…フロアコンソール、３１０…上面、４００…斜面部、４０１…底面、４０２…突起、４０３…円溝、４１０…上面、４１１…下部、４１２…孔、４１３…挿入孔、４１４…下面、４１５…突起部、５２０…空間、５５０…円板部、５５１…円筒部、５５２…開口
【図１】
2017112035.tif 000003
【図２】
2017112035.tif 000004
【図３】
2017112035.tif 000005